(57)【要約】【課題】効率良く微細な貫通孔を有する多孔プレートを製造するために使用されることができる多孔プレート製造工具、かかる多孔プレート製造工具を使用した多孔プレートの製造方法および多孔プレートを提供する。【解決手段】板状のプレートＦに複数の貫通孔３を形成するために使用される多孔プレート製造工具１０であって、一端面に格子状に溝11gが形成され、溝11gの内面によって表面が形成された複数の断面矩形の突起１２を有するブロック１１であり、溝11gは、ブロック１１の一面において、隣接する突起１２間の距離が１〜１００μｍとなるように形成されている。ブロック１１の一面には複数の突起１２が形成されているので、ブロック１１の突起１２を一回板状のプレートＦに突き刺せば一度に複数の貫通孔３を形成することができる。したがって、複数の貫通孔３を有する多孔プレート１を製造する生産効率を向上させることができる。【選択図】図１
2014008585.tif 000002
【特許請求の範囲】
【請求項１】
板状のプレートに複数の貫通孔を形成するために使用される多孔プレート製造工具であって、
一面に溝が格子状に形成され、該溝の内面によって表面が形成された複数の断面矩形の突起を有するブロックであり、
該溝は、
該ブロックの一面において、隣接する前記突起間の距離が１〜１００μｍとなるように形成されている
ことを特徴とする多孔プレート製造工具。
【請求項２】
前記溝は、
ブロックの一面から該溝の底に向かって幅が狭くなるように形成されている
ことを特徴とする請求項１記載の多孔プレート製造工具。
【請求項３】
前記溝は、
前記ブロックの一面において、幅が１〜６０μｍである
ことを特徴とする請求項１または２記載の多孔プレート製造工具。
【請求項４】
前記溝が、
先端が略Ｖ字状に形成された工具を、前記ブロックの一面に沿って移動させて形成されたものである
ことを特徴とする請求項１、２または３記載の多孔プレート製造工具。
【請求項５】
請求項１、２、３または４記載の多孔プレート製造工具を使用して板状のプレートに複数の貫通孔を形成する多孔プレートの製造方法であって、
多孔プレート製造工具の突起を突き刺しうる硬さを有する表面が平坦面に形成された支持部材の表面に、板状のプレートを載せて、
前記プレートに前記多孔プレート製造工具の突起を貫通させる
ことを特徴とする多孔プレートの製造方法。
【請求項６】
前記プレートと該多孔プレート製造工具の溝の底との間の隙間を維持しうる位置まで、前記プレートに前記多孔プレート製造工具の突起を貫通させる
ことを特徴とする請求項５記載の多孔プレートの製造方法。
【請求項７】
板状のプレートに複数の貫通孔が形成されたプレートであって、
前記複数の貫通孔は、一辺が１〜６０μｍの断面矩形の孔である
ことを特徴とする多孔プレート。
【請求項８】
前記複数の貫通孔が、１〜１００μｍ間隔で形成されている
ことを特徴とする請求項７記載の多孔プレート。
【請求項９】
前記プレートの板厚が、１〜100μｍである
ことを特徴とする請求項７または８記載の多孔プレート。
【請求項１０】
前記貫通孔は、
その一端から他端に向かって断面積が小さくなるように形成されている
ことを特徴とする請求項７、８または９記載の多孔プレート。
【請求項１１】
請求項５または６記載の多孔プレートの製造方法によって製造されたものである
ことを特徴とする請求項７、８、９または１０記載の多孔プレート。
【発明の詳細な説明】
【技術分野】
【０００１】
本発明は、多孔プレート製造工具、多孔プレートの製造方法および多孔プレートに関する。
【背景技術】
【０００２】
非常に微細な貫通孔（例えば、直径５０μｍ以下）が形成されたマイクロプレートは、工業分野や医療分野において非常に利用価値があり、かかるプレートの開発が望まれている。
例えば、医科における再生医療材料や医療機器（例えば、機能的透過膜や人工臓器の細胞を保持する枠等）や、半導体製造装置（流量コントローラー）、メンブレンリアクター（膜利用反応プロセス）、精密濾過膜、電気分解（電解反応電極）、バイオ（細胞分離）、食品（酵母濾過）、医療（除菌濾過）等において流体を通過させる部材として使用することができる。
【０００３】
一方、直径５０μｍ以下の微細な貫通孔を加工することは難しい。とくに、厚さが薄い金属プレート（例えば厚さが１ｍｍ以下の金属プレート）にかかる孔を形成する場合には、加工の際にプレートが変形する可能性があり、その加工が非常に難しい。
【０００４】
かかる薄い金属プレートに微細な貫通孔を加工して多孔プレートを製造する技術が、特許文献１、２に開示されている。
【０００５】
特許文献１には、複数の凹部を設け、凹部に５０μｍ以下の貫通孔を複数設け、その貫通孔の厚さを、貫通孔の径の倍以上、１５倍以下とした金属プレートが開示されている。そして、特許文献１には、「貫通孔３の形成は、レーザー加工や切削、プレス法を用いて行なうことができる。特に、この中でも生産性や耐久性の観点から、レーザー加工（例えば、炭酸ガスレーザー）を使用することが好ましい」（明細書段落００２５）、との記載がある。
【０００６】
しかし、金属プレートに対してレーザー等による熱切削や熱穿孔を行った場合、素材に熱変性が生じる可能性がある。例えば、医療用の金属プレートには、純チタニウムやチタニウム合金等が使用されるが、素材に熱変性が生じることで、本来チタニウムが有する良好な生体親和性が損なわれ、物性も劣化する恐れがある。例えば、純チタニウムは熱加工によって周囲雰囲気に含まれる酸素や他の元素と容易に結合し変性してしまうという問題がある。かかる問題は、他の金属性の材料をレーザー等による加工を行った場合でも生じる可能性がある。
【０００７】
一方、特許文献２では、パンチとダイスを使用して、金属プレートに孔を形成する技術が開示されている。この方法の場合、レーザー等による加工に比べて、加工の際に発生する熱が少ないので、素材の熱変性が生じず、素材の性質をある程度維持することができる。
【先行技術文献】
【特許文献】
【０００８】
【特許文献１】特開２０１２−１０８２０８号公報
【特許文献２】特開２０１１−１４２８３１号公報
【発明の概要】
【発明が解決しようとする課題】
【０００９】
上述したように、特許文献２の技術を用いた場合、素材の熱変性を生じさせることなく、金属プレートに貫通孔を形成することができる一方、貫通孔を一つずつ形成しなければならない。
上述したようなマイクロプレートでは、１ｃｍ２あたり数千〜数万個の孔を形成する必要がある。このため、特許文献２の技術によってマイクロプレートを製造した場合、１枚のマイクロプレートを製造するために非常に長時間を要することとなり、生産効率が低下する。
【００１０】
本発明は上記事情に鑑み、効率良く微細な貫通孔を有する多孔プレートを製造するために使用されることができる多孔プレート製造工具、かかる多孔プレート製造工具を使用した多孔プレートの製造方法および多孔プレートを提供することを目的とする。
【課題を解決するための手段】
【００１１】
（多孔プレート製造工具）
第１発明の多孔プレート製造工具は、板状のプレートに複数の貫通孔を形成するために使用される多孔プレート製造工具であって、一面に溝が格子状形成され、該溝の内面によって表面が形成された複数の断面矩形の突起を有するブロックであり、該溝は、該ブロックの一面において、隣接する前記突起間の距離が１〜１００μｍとなるように形成されていることを特徴とする。
第２発明の多孔プレート製造工具は、第１発明において、前記溝は、ブロックの一面から該溝の底に向かって幅が狭くなるように形成されていることを特徴とする。
第３発明の多孔プレート製造工具は、第１または第２発明において、前記溝は、前記ブロックの一面において、幅が１〜６０μｍであることを特徴とする。
第４発明の多孔プレート製造工具は、第１、第２または第３発明において、前記溝が、先端が略Ｖ字状に形成された工具を、前記ブロックの一面に沿って移動させて形成されたものであることを特徴とする。
（多孔プレートの製造方法）
第５発明の多孔プレートの製造方法は、第１、第２、第３または第４発明の多孔プレート製造工具を使用して板状のプレートに複数の貫通孔を形成する多孔プレートの製造方法であって、多孔プレート製造工具の突起を突き刺しうる硬さを有する表面が平坦面に形成された支持部材の表面に、板状のプレートを載せて、前記多孔プレート製造工具の突起に前記プレートを貫通させることを特徴とする。
第６発明の多孔プレートの製造方法は、第４発明において、前記プレートと該多孔プレート製造工具の溝の底との間の隙間を維持しうる位置まで、前記多孔プレート製造工具の突起に前記プレートを貫通させることを特徴とする。
（多孔プレート）
第７発明の多孔プレートは、板状のプレートに複数の貫通孔が形成されたプレートであって、前記複数の貫通孔は、一辺が１〜６０μｍの断面矩形の孔であることを特徴とする。
第８発明の多孔プレートは、第７発明において、前記複数の貫通孔が、１〜１００μｍ間隔で形成されていることを特徴とする。
第９発明の多孔プレートは、第７または第８発明において、前記プレートの板厚が、１〜100μｍであることを特徴とする。
第１０発明の多孔プレートは、第７、第８または第９発明において、前記貫通孔は、その一端から他端に向かって断面積が小さくなるように形成されていることを特徴とする。
第１１発明の多孔プレートは、第７、第８、第９または第１０発明において、第５または第６発明の多孔プレートの製造方法によって製造されたものであることを特徴とする。
【発明の効果】
【００１２】
（多孔プレート製造工具）
第１発明によれば、ブロックの一面に、格子状に形成された溝の内面を側面とする略矩形の突起が形成される。しかも、溝は、隣接する突起間の距離が１〜１００μｍとなるように形成されているので、ブロックの一面において、突起の断面における一辺の長さを１〜６０μｍ程度とすることができる。このため、ブロックの突起を板状のプレートに突き刺せば、突起の断面形状の貫通孔、つまり、一辺が１〜６０μｍ程度の矩形の貫通孔を形成することができる。また、ブロックの一面には複数の突起が形成されているので、ブロックの突起を板状のプレートに一回だけ突き刺しても、プレートに複数の貫通孔を形成することができる。したがって、複数の貫通孔を有するプレートを製造する生産効率を向上させることができる。
第２発明によれば、各突起は、ブロックの一面に格子状に形成された溝の内面によって表面が形成されているので、ブロックの一面側に先端を有する角錐状になる。すると、突起は先端に向かってその断面が小さくなるので、ブロックの突起にプレートが刺さったままとなっても、ブロックの突起からプレートを取り外しやすい。また、一つのブロックでも、一辺の長さが異なる貫通孔や、貫通孔の間隔が異なる多孔プレートを製造することが可能となる。
第３発明によれば、溝の幅を１〜６０μｍとすれば、溝同士の間隔を１〜１００μｍとした状態において突起の断面積を適切な大きさとすることができる。
第４発明によれば、先端が略Ｖ字状に形成された工具をブロックの一面に沿って移動させて溝を形成しているので、溝の幅が１〜６０μｍ程度、溝により形成される突起間の距離が１〜１００μｍ、となるように、溝を形成することができる。したがって、断面の一辺の長さが１〜６０μｍである突起を形成することができる。しかも、ブロックの表面に沿って工具を移動させるだけであるので、複数本の溝を簡単に形成できる。したがって、複数の突起を有するブロックを簡単に製造することができる。また、各突起の形状や配列の精度を高くすることができる。
（多孔プレートの製造方法）
第５発明によれば、第１、第２、第３または第４発明の多孔プレート製造工具の突起を板状のプレートに突き刺して、板状のプレートに孔を形成しているので、多数の貫通孔を有するプレートを簡単かつ効率良く製造することができる。また、支持部材が多孔プレート製造工具の突起を突き刺しうる硬さであるから、この支持部材の表面に板状のプレートを載せた状態で多孔プレート製造工具の突起を板状のプレートに突き刺せば、多孔プレート製造工具の突起の先端は支持部材にも突き刺さる。このとき、支持部材の表面が平坦面であるから、突起がプレートに突き刺さった際、プレートの変形を防止することができる。したがって、所定の大きさを有する複数の貫通孔が精度よく並んだ多孔プレートを形成することができる。
第６発明によれば、多孔プレート製造工具の突起が板状のプレートおよび支持部材に突き刺さった状態となっても、プレートと多孔プレート製造工具の溝の底との間の隙間が維持されているので、多孔プレート製造工具の突起からプレートを取り外し易くなる。
（多孔プレート）
第７発明によれば、微細な貫通孔を有しているので、種々の用途に使用することができる。
第８発明によれば、貫通孔密度が大きいので、種々の用途に使用することができる。
第９発明によれば、プレートの強度を高くすることができる。
第１０発明によれば、テーパが形成されているので、細孔表面にメッキ等でパラジュームを被覆すれば、水素の水蒸気改質に使用するリアクターとして使用した場合に、水素を高純度で分離精製することができる。
第１１発明によれば、第５または第６発明の多孔プレートの製造方法によって製造されているので、貫通孔の大きさのバラツキや、配置のズレなどが少ない。したがって、種々の用途に使用したときに、多孔プレートの性能を高くすることができる。
【図面の簡単な説明】
【００１３】
【図１】本実施形態の多孔プレート１の概略説明図であって、（Ａ）は多孔プレート１を表面から見た説明図であり、（Ｂ）は（Ａ）のＢ−Ｂ線断面図である。
【図２】本実施形態の多孔プレート製造工具１０の概略説明図であって、（Ａ）はブロック１１の一面11sから見た説明図であり、（Ｂ）はブロック１１の側面から見た説明図である。
【図３】本実施形態の多孔プレート製造工具１０を使用して、多孔プレート１を製造する作業の説明図である。
【図４】（Ａ）ブロック１１に溝11hを形成する工具ＴＳの一例を示した概略説明図であり、（Ｂ）は工具ＴＳによってブロック１１に溝11hを形成する作業の概略説明図であり、（Ｃ）は先端を除去した本実施形態の多孔プレート製造工具１０の概略説明図である。
【発明を実施するための形態】
【００１４】
つぎに、本発明の実施形態を図面に基づき説明する。
なお、本実施形態の多孔プレートに形成される貫通孔や、本実施形態の多孔プレート製造工具の突起などは、多孔プレートや多孔プレート製造工具の全体の大きさと比較して非常に微細である。このため、本実施形態の多孔プレートや本実施形態の多孔プレート製造工具の構造を分り易くするために、図面では、各部材間の相対的な大きさは実際の相対的な大きさとは異なるものとなっている場合がある。
【００１５】
（本実施形態の多孔プレート１の説明）
まず、本実施形態の多孔プレート１を説明する。
【００１６】
本実施形態の多孔プレート１は、板状の部材やフォイル（以下、本体２という）に多数の微細な貫通孔３が形成されたプレートである。
本発明の多孔プレート１は、種々の用途に使用することが可能なプレートである。例えば、医科における再生医療材料や医療機器（例えば、機能的透過膜や人工臓器の細胞を保持する枠等）や、半導体製造装置（流量コントローラー）、メンブレンリアクター（膜利用反応プロセス）、精密濾過膜、電気分解（電解反応電極）、バイオ（細胞分離）、食品（酵母濾過）、医療（除菌濾過）等において流体を通過させる部材として使用することができる。
【００１７】
とくに、本発明の多孔プレート１は、歯科における歯周再生治療を目的として、歯周病や、歯の喪失によって破壊・吸収された歯槽骨を増生・復元する外科手術に用いる組織隔壁膜、臓器由来培養細胞の格納シェルとして利用することに適している。
例えば、GTR（Gaided Tissue Regeneration：歯周組織再生療法）におけるスペースメイキングの際に、再生を目的とする組織を呼び入れるためにバリアメンブレンが使用される。このバリアメンブレンは、生体組織内に空間を囲繞して確保する際に用いられるため、多数の機能が要求される。具体的には、１）生体親和性ならびに安全性に優れていること、２）スペースを維持し続ける強度を有すること、３）誘導する組織に栄養を供給しうる半透過性(フィルター機能)を有すること、４）誘導する以外の細胞の進入が阻止できること、という機能が必要である。従来、使用されてきたGTRメンブレンは、PTFE（テフロン）製であったため、脆弱であり、単体でスペースメイキングに使用するには難点があった。しかし、本発明の多孔プレート１を、チタン等の金属によって製造して、バリアメンブレンとして使用すれば、GTRのスペースメーキングを適切に行うことができる。つまり、金属製の本発明の多孔プレート１は、上述したようなバリアメンブレンに適している。
【００１８】
（多孔プレート１の説明）
図１に示すように、本発明の多孔プレート１は、本体２に対して多数の貫通孔３を形成したものである。なお、図１では、ドットが描かれている領域（孔形成領域１ａ）に貫通孔３が形成されており、その周囲は貫通孔３が形成されていない領域１ｂである。
【００１９】
（本体の説明）
図１（Ｂ）に示すように、本体２は、板状のプレートまたはフォイルである。この本体２は、板状であればその板厚はとくに限定されない。しかし、上述したような用途で使用する場合であれば、その板厚が、１〜100μｍ程度に形成されていることが好ましく、１〜３０μｍ程度に形成されていることがより好ましい。
【００２０】
本体２の素材もとくに限定されず、各用途に応じた最適なものを採用することができる。例えば、再生医療材料や医療機器等、生体に使用する場合であれば、純チタニウムあるいはチタニウム合金等の生体親和性を有する金属や、セラミックス、プラスチック、ポリマーとすることが好ましい。かかる素材とすると、多孔プレート１を生体内に配置しても、生体に悪影響を与えることがない。とくに、純チタニウムを用いれば、優れた生体親和性と細胞生育促進能力が期待できる。具体的には、歯科臨床における新規歯周組織再生材料としての用途はもちろん、再生医療用の材料、例えば、人工臓器の材料としても優れた機能を発揮させることができる。
【００２１】
（貫通孔３の説明）
また、本体２の孔形成領域１ａには、複数の貫通孔３が設けられている。複数の貫通孔３は、いずれも矩形（好ましくは正方形）に形成されている。そして、複数の貫通孔３は、一の貫通孔３を所定の間隔で平行移動させたように配列されている。具体的には、図１に示すように、一の貫通孔３を上下方向および左右方向に沿って所定の間隔Ｐで平行移動させた状態となるように、複数の貫通孔３が配列されている。
【００２２】
以上のように、複数の貫通孔３の形状が矩形であれば、貫通孔３が円形である場合に比べて、微細な貫通孔３を容易に加工できる。なぜなら、多孔プレート１を製造する際に使用されるパンチ（つまり、本願請求項でいう多孔プレート製造工具）の製造が容易になるからである。もし、貫通孔３を円形とする場合には、断面円形に形成されたピンを一本ずつプレートに埋め込んでパンチを製造しなければならないが、貫通孔３の形状が矩形の場合には、後述するように、ブロック状の部材を加工するだけでパンチを製造できる。したがって、複数の貫通孔３の形状が矩形が好ましい。しかも、矩形のブロック状の部材によってパンチを形成すれば、このパンチを複数組み合わせて（ブロックの側面同士を面接触させて並べて）集合パンチを形成したときに、貫通孔３の並びを揃えやすくなる。すると、一つのパンチの大きさをそれほど大きくしなくても、広い面積に一度に多数の貫通孔３を形成することも可能となる。
【００２３】
なお、複数の貫通孔３は、各用途において所定の機能を発揮するように適切に形成されればよく、その大きさ（つまり貫通孔３の一辺の長さ）や、貫通孔３を設ける間隔Ｐ（つまり、貫通孔３を設ける密度）はとくに限定されない。しかし、上述したような用途で使用する場合であれば、貫通孔３の一辺の長さが約１〜６０μｍ程度（好ましくは１〜３０μｍｍ、さらに好ましくは１〜２０μｍ）であって、貫通孔３を設ける間隔Ｐが１〜１００μｍ程度（好ましくは１〜８０μｍ、さらに好ましくは１〜５０μｍ）が好ましい。
かかる大きさ、密度とすれば、貫通孔３が粉末焼結多孔質体の有する空孔や流体通路と同等の径を有するものとなり、しかも、貫通孔密度が粉末焼結多孔質体における空孔等と同程度の密度となる。よって、粉末焼結多孔質体と同等の機能を有しつつ、粉末焼結多孔質体に比べて、流体が通過するときに発生する圧力損失を低減することができる。
【００２４】
また、図面では、貫通孔３が正方形の場合を例示しているが、貫通孔３は正方形でなくてもよいのはいうまでもなく、長方形でもよいし、各角が９０°でなくてもよい。つまり、貫通孔３は、ほぼ矩形であればよい。
【００２５】
とくに、再生医療材料や医療機器に使用するのであれば、貫通孔３の一辺の長さは約１〜２０μｍ程度（好ましくは１〜１０μｍｍ）であることが好ましい。
貫通孔３の一辺の長さを上述したような大きさとすると、貫通孔３をヒトの細胞が通過することを防ぎつつ、細胞増殖および分化を制御するサイトカイン等生理活性物質、栄養およびガス成分を通過させることができる。このため、多孔プレート１によって、生体内に空間を形成しかつその空間内に特定の細胞が侵入することを防ぎつつ、空間内に栄養分などを供給することが可能となる。
そして、純チタニウムあるいはチタニウム合金等、生体親和性を有する金属を用いて貫通孔３の一辺の長さが上記のごとき長さである多孔プレート１を形成した場合には、従来のバリアメンブレン、例えば、歯周組織再生用バリアメンブレンに比べて大幅に薄く(約５０μm)、かつ同等の機能・強度・抗菌性を有する歯周組織再生バリアメンブレンとすることができる。
【００２６】
さらに、図１（Ｂ）に示すように、貫通孔３は、一端から他端に向かって断面積が小さくなるように形成されていてもよい。つまり、貫通孔３の内面がテーパ面となっていてもよい。この場合には、細孔表面にメッキ等でパラジュームを被覆すれば、水素の水蒸気改質に使用するリアクターとして使用した場合に、水素を高純度で分離精製することができるという利点が得られる。
【００２７】
（機能的透過膜）
上述したような本発明の多孔プレート１は多数の貫通孔３を有しているので、本体２を金属で形成しかつこの貫通孔３に生理活性物質や薬品を含有させれば、多孔プレート１を機能的透過膜とすることができる。
つまり、多孔プレート１の貫通孔３に、組織成長因子やサイトカイン等生理活性物質の他、抗生物質や抗癌剤等各種薬品を含有させた状態で、多孔プレート１を生体内に配置し、多孔プレート１の本体に荷電すれば、電気泳動によって貫通孔内の生理活性物質や薬品を生体内に放出させることも可能となる。
【００２８】
（人工臓器）
また、本発明の多孔プレート１を人工臓器の基礎として使用することも可能である。
例えば、本発明の多孔プレート１をその内部に中空な部分ができるような形状（たとえば筒状など）とし、その中に人工的に培養された臓器細胞群を収容して人工臓器を形成したり、複数の多孔プレート１によって臓器細胞群を囲んだり挟んだりして人工臓器を形成することができる。つまり、本発明の多孔プレート１によって外枠を形成し、人工的に培養された臓器細胞群をその中に収容して人工臓器を形成することもできる。
すると、上記のごとき人工臓器を生体内に配置し、臓器細胞群を血管系と接続すれば、外枠内に封止された細胞群の生活を維持するとともに、血液中に細胞群に由来する生理活性物質を放出あるいは血液中の老廃物を除去ないしは浄化することが可能となる。
【００２９】
すなわち、細胞は多孔プレート１を超えて移動することはできないので、多孔プレート１内に培養各種臓器あるいは組織由来細胞を封入できる。そして、封入されている培養各種臓器あるいは組織由来細胞を血管循環系に隣接させることで、封入された細胞は生体内部において血液循環系と機能的に連携することが可能となる。すると、多孔プレート１を介して隣在する細胞・血液あるいは組織に対して栄養のほか、ホルモン、サイトカインをはじめとする生体情報伝達物質およびメディエーターを送達・受諾あるいは交換することができる。また酸素・二酸化炭素ガスの交換が可能となるので、多孔プレート１内に封入されている培養各種臓器あるいは組織由来細胞を、いわゆる人工臓器あるいは組織として機能させることができる。例えば、多孔プレート１の有する細胞隔離機能は、格納される細胞が血管循環系に移動・流出して体内の他の組織に移動する事を厳密に防止できることから、多数の臓器細胞への分化誘導が可能でありながら、それ自身が腫瘍化のリスクが高いため、これまではヒト体内における直接的な利用が困難であったiPS細胞(人工多能性幹細胞: Induced
pluripotent stem cells)を元にした、安全な体内型人工臓器を創生することができる。すなわちiPS細胞から誘導された臓器細胞を、多孔プレート１によって１重あるいは多重に封止された格納容器内部に封入した上で、上記の方法により体内循環系と接続すれば、万一iPS細胞由来の臓器に腫瘍が発生しても、それが血管に流出するおそれがないため、生体への安全は確保される。
なお、多孔プレート１内に培養各種臓器あるいは組織由来細胞を封入せず、多孔プレート１内に中空な空間を形成した状態で生体内に配置すれば、その空間に新たな臓器や組織を人工的に生成させることが可能である。
【００３０】
（多孔プレート１の製造方法）
上述したような本実施形態の多孔プレート１を加工する方法はとくに限定されないが、所定の厚さを有する板状の部材やフォイル（薄膜）に対して、後述するような多孔プレート製造工具１０を使用して貫通孔を形成すれば、本実施形態の多孔プレート１を効率良く製造することができる。
【００３１】
（多孔プレート製造工具１０の簡単な説明）
まず、多孔プレート１の製造方法を説明する前に、多孔プレート１の製造方法に使用される多孔プレート製造工具１０を簡単に説明する。
【００３２】
図２に示すように、多孔プレート製造工具１０は、ブロック１１の一面に、格子状に溝11gが形成されたものである。具体的には、縦方向（図１では上下方向）に沿って延びた溝11gと、横方向（図１では左右方向）に沿って延びた溝11gとが、互いに直交するように、複数の溝11gが形成されているのである。
【００３３】
縦方向に沿って延びた溝11gは複数本形成されているが、この複数本の溝11gは、互いに平行となるように形成されている。同様に、横方向に沿って延びた溝11gも複数本形成されているが、この複数本の溝11gも、互いに平行となるように形成されている。
【００３４】
そして、上記のごとく溝11gが格子状に形成されているので、ブロック１１の一端部には、溝11gによって囲まれた複数の突起１２が形成されている。言い換えれば、ブロック１１の一端部には、溝11gの内面を側面とする複数の突起１２が縦横に並ぶように形成されているのである。なお、各突起１２は、格子状に形成された溝11gの内面が側面となっているので、その断面は矩形になっている。
【００３５】
かかる多孔プレート製造工具１０を用いて、後述する方法により上述した多孔プレート１を製造する場合には、多孔プレート製造工具１０の溝11gは、以下のような寸法や配置とすればよい。
【００３６】
まず、複数の溝11gは、互いに平行かつ隣接する溝11g同士の間隔Ｐ１（溝11gを設けるピッチ）が１〜１００μｍとなるように形成する。言い換えれば、溝11gによって形成される突起１２のピッチが１〜１００μｍとなるように、複数の溝11gを形成する。すると、一辺の長さが約１〜６０μｍ程度（具体的には、一辺の長さが約５５μｍ程度）の貫通孔３を形成することも可能である。とくに、溝11g同士の間隔Ｐ１を、１〜２０μｍとすれば、一辺の長さが約１〜１０μｍ程度の貫通孔３（具体的には、一辺の長さが約１μｍ程度や約１０μｍ程度）の貫通孔３でも形成することができる。すると、多孔プレート１を再生医療材料や医療機器に使用できるものとすることができる。
【００３７】
なお、ブロック１１の一面における溝11gの幅Ｗ１はとくに限定されないが、溝11gの幅Ｗ１を１〜６０μｍとすれば、溝11g同士の間隔Ｐ１を１〜１００μｍとした状態において突起１２の断面積を適切な大きさとすることができる。そして、溝11gの幅Ｗ１を変更すれば、製造する多孔プレート１の構造を種々変更できるので、様々な用途に適した多孔プレート１を製造することができるし、また、ブロック１１を多孔プレート１の製造以外の用途にも使用できるものとすることもできる。
【００３８】
なお、溝11gは、その先端（ブロック１１の一端面）から底まで同じ幅となるように形成されていてもよいが、その先端から底に向かって幅が狭くなるように形成されていることが好ましい。この場合、突起は先端に向かってその断面が小さくなるので、ブロックの突起にプレートが刺さったままとなっても、ブロックの突起からプレートを取り外しやすい。また、後述するように、一つのブロック１１でも、一辺の長さが異なる貫通孔３や貫通孔３間の間隔Ｗが異なる多孔プレート１を製造することが可能となる。その理由の詳細は後述する。
【００３９】
以下では、多孔プレート製造工具１０のブロック１１の一面、つまり、複数の突起１２の先端によって形成されている面を、ブロック１１の突起面11sという。また、ブロック１１において、複数の突起１２が形成されている部分をブロック１１の突起部11aといい、複数の突起１２が形成されていない部分をブロック１１のベース部11bという（図２（Ｂ）参照）。
【００４０】
（多孔プレート１の製造方法の説明）
以上のような多孔プレート製造工具１０を使用して、本実施形態の多孔プレート１を製造する方法を、図３に基づいて説明する。
なお、図３では、加工工程を分り易くするために、多孔プレート製造工具１０とプレートＦ、支持部材Ｓのみを図示して説明している。また、突起の長さやプレートＦの厚さは実際よりも厚く記載している。つまり、図３における各部材の相対的な縮尺は、実際の各部材の相対的な縮尺とは異なる。
【００４１】
また、以下では多孔プレート製造工具１０をサーボプレスに取り付けて板状のプレートＦを加工する場合を説明するが、公知のマシニングセンタやＮＣフライス盤等を使用してもよいのは言うまでもない。
【００４２】
まず、サーボプレスの金型ホルダに多孔プレート製造工具１０を取り付ける。このとき、多孔プレート製造工具１０のブロック１１の突起面11sがサーボプレスのテーブルを向いた状態となるようにパンチホルダに取り付ける。なお、パンチホルダは、ブロック１１のベース部11bを保持する。
【００４３】
ついで、サーボプレスのテーブル上に支持部材Ｓを配置する。つまり、通常のサーボプレスで使用されるダイに代えて、支持部材Ｓが配置される。
この支持部材Ｓは、多孔プレート製造工具１０よりも柔らかい素材によって形成された板状の部材であり、その表面（図３では上面および下面）が平坦面かつ互いに平行となるように形成されたものである。
そして、支持部材Ｓは、パンチホルダに取り付けられている多孔プレート製造工具１０の鉛直下方に位置するように配置され、テーブルに固定される。つまり、支持部材Ｓは、多孔プレート製造工具１０の移動経路上に位置するように、テーブルに固定されるのである。
【００４４】
ついで、支持部材Ｓの表面（図３（Ａ）では上面）に、本実施形態の多孔プレート１の素材となる板状のプレートＦを載せる。
このとき、プレートＦと支持部材Ｓとが面接触するように載せておくことが好ましい。これは、両者を面接触させておくと、後述するように多孔プレート製造工具１０の突起１２をプレートＦに突き刺したときに、プレートＦが変形することを抑制することができるからである。
【００４５】
支持部材Ｓの表面に板状のプレートＦを配置すると、サーボプレスを作動させる。すると、多孔プレート製造工具１０が下降し、多孔プレート製造工具１０が支持部材Ｓ上のプレートＦに向かって移動する。
【００４６】
やがて、多孔プレート製造工具１０のブロック１１の突起面11sがプレートＦの表面に接触するが、多孔プレート製造工具１０はその状態からさらに下降する。すると、多孔プレート製造工具１０の複数の突起１２がプレートＦを貫通し、複数の突起１２は支持部材Ｓに突き刺さる。そして、プレートＦには、多孔プレート製造工具１０の複数の突起１２によって、複数の貫通孔３が形成される。
【００４７】
複数の突起１２は支持部材Ｓに突き刺さった状態となると、多孔プレート製造工具１０の下降が停止し、多孔プレート製造工具１０が上昇する。
プレートＦの貫通孔３には、多孔プレート製造工具１０の複数の突起１２が突き刺さったときにバリ３ｂ（図１（Ｂ）参照）が形成されており、このバリ３ｂの影響で、プレートＦは多孔プレート製造工具１０とともに上昇する。つまり、突起１２にプレートＦが突き刺さった状態のまま、多孔プレート製造工具１０が上昇する。
【００４８】
最後に、多孔プレート製造工具１０からプレートＦを取り外すと、複数の突起１２の断面形状と相似形の貫通孔３を有する多孔プレート１となる。つまり、複数の矩形の貫通孔３が所定の間隔で縦横に並んだ多孔プレート１が製造されるのである。
【００４９】
以上のように、本実施形態の多孔プレートの製造方法では、多孔プレート製造工具１０の突起１２を板状のプレートＦに突き刺して、板状のプレートＦに貫通孔３を形成しているので、多数の貫通孔３を有する多孔プレート１を簡単かつ効率良く製造することができる。
とくに、多孔プレート製造工具１０のブロック１１の断面が矩形とすれば、複数のブロック１１を組み合わせて（ブロック１１の側面同士を面接触させて並べて）集合パンチを形成することも可能である。すると、一つの多孔プレート製造工具１０のブロック１１の大きさをそれほど大きくしなくても、広い面積に一度に多数の貫通孔３を形成することも可能となり、大型の多孔プレート１でも製造することが可能となる。
【００５０】
また、支持部材Ｓが多孔プレート製造工具１０の突起１２が突き刺さる硬さであるから、この支持部材Ｓの表面にプレートＦを載せた状態のまま、多孔プレート製造工具１０の突起１２をプレートＦに突き刺すことができる。
このとき、支持部材Ｓの表面が平坦面であり、突起１２がプレートに突き刺さったときに、プレートＦを支持部材Ｓの表面で支持しておくことができる。このため、プレートＦに多孔プレート製造工具１０の突起１２が当たって、プレートＦを突起１２が貫通するときに、プレートＦが下方に折れ曲がったりするなどの変形を防止することができる。
したがって、所定の大きさを有する複数の貫通孔３が精度よく並んだ多孔プレート１を形成することができる。つまり、多孔プレート製造工具１０の複数の突起１２と相似形の貫通孔３が、複数の突起１２と同等の精度で配列した多孔プレート１を製造することができるのである。
【００５１】
なお、多孔プレート製造工具１０の突起１２をプレートＦに突き刺す深さ、言い換えれば、突起１２先端が支持部材Ｓに侵入する深さ（侵入深さ）はとくに限定されない。例えば、突起１２の側面がテーパ面となっているような場合であれば、侵入深さによって、貫通孔３の大きさや貫通孔３間の距離を変化させることができる。なぜなら、突起１２の側面がテーパ上となっていれば、つまり、突起１２が角錐状となっていれば、その先端からの距離によって、その断面の一辺の長さや隣接する突起１２との距離が変化するからである。したがって、突起１２の側面がテーパ上となっている場合には、多孔プレート１に形成する貫通孔３の大きさ等に応じて、適切な侵入深さとすればよい。
【００５２】
また、侵入深さは、多孔プレート製造工具１０の突起１２がプレートＦおよび支持部材Ｓに突き刺さった状態において、プレートＦと多孔プレート製造工具１０の溝11gの底との間に隙間が維持できる深さとすることが好ましい。
この場合、多孔プレート製造工具１０の突起１２がプレートＦに突き刺さった状態となっても（図３（Ｃ）参照）、プレートＦを多孔プレート製造工具１０の突起１２から取り外し易くなる。すると、多孔プレート製造工具１０の突起１２からプレートＦを取り外す際に、プレートＦの変形等を抑制することができるので、プレートＦの歩留まりを向上させることができる。
【００５３】
（支持部材Ｓの説明）
上述したように、多孔プレートの製造方法で使用される支持部材Ｓは、多孔プレート製造工具１０よりも柔らかい素材によって形成された板状の部材である。ここでいう多孔プレート製造工具１０よりも柔らかい素材とは、多孔プレート製造工具１０のブロック１１の突起面11sを支持部材Ｓの表面に押し当てたときに、突起１２が、折れたり曲がったりすることなく支持部材Ｓに突き刺さる素材を意味している。
また、支持部材Ｓは、柔らかすぎる素材は好ましくない。なぜなら、多孔プレート製造工具１０の突起１２をプレートＦに突き刺したときに、プレートＦが変形してしまう可能性があるからである。したがって、支持部材Ｓは、剛性の高いブロックにおける突起等を有しない面を支持部材Ｓの表面に押し当てて加圧しても、圧縮されたり凹んだりしない程度の剛性を有するものが好ましい。
例えば、多孔プレート製造工具１０のブロック１１が金属製の場合などには、支持部材Ｓとして、ＰＰＳ（ポリフェニレンサルファイド）樹脂製の板材等を使用することができるが、上記のごとき性質を有する素材によって形成された材料であれば、とくに限定されない。
なお、支持部材Ｓとして、板状の部材を使用する場合を説明したが、支持部材Ｓは必ずしも板状の部材に限られない。支持部材Ｓは、その表面にプレートＦを安定した状態（好ましくは面接触した状態）で載せることができ、テーブル上に安定した状態（好ましくは面接触した状態）で配置できる形状を有していればよい。例えば、支持部材Ｓの形状は、板材よりも分厚いブロック状や、その上面に平面となった領域を有する鞍形状などでもよい。
【００５４】
（多孔プレート製造工具１０について）
なお、ブロック１１の素材はとくに限定されず、例えばハイス鋼や超硬合金を使用することができるが、ブロック１１の突起１２を上述した多孔プレート１の材料となる板状のプレートに挿通させることができ、かつ、挿通する際に突起１２が変形しない程度の強度を有する素材によって形成されていればよい。つまり、多孔プレート１の材料や板厚、ブロック１１に形成する突起１２の太さ等に応じて適切な材料を使用すればよい。例えば、板状のプレートがチタン製の厚さ２０μｍの場合であって、ブロック１１の一端面における突起の一辺の長さが２０μｍ程度であれば、ブロック１１の素材として、ハイス鋼や超硬合金などを使用することができる。
【００５５】
（多孔プレート製造工具１０の製造方法の説明）
多孔プレート製造工具１０は、上述したようか構造に形成できるのであれば、その製造方法はとくに限定されない。例えば、精密平面研削盤やスライサーマシンなどの方法によって形成することも可能である。
しかし、以下のような方法で製造すれば、複数の突起１２を有するブロック１１を簡単に製造することができる。
【００５６】
図４（Ａ）は、円板状の砥石ＴＳを示している。この砥石ＴＳは、その中央部に貫通孔Ｔｈが形成されており、この貫通孔Ｔｈを、グラインダやマシニングセンタ、ＮＣフライス盤等の主軸に取り付けて使用するものである。
【００５７】
この砥石ＴＳは、貫通孔Ｔｈの周囲に砥石ＴＳを工具の主軸に取り付けるための取付面ＳＳを有している。なお、取付面ＳＳは表裏の面が互いに平行に設けられている。
【００５８】
この砥石ＴＳには、取付面ＳＳから砥石ＴＳの外端縁に向かって傾斜した加工面ＫＳが形成されている。具体的には、表裏の加工面ＫＳは、取付面ＳＳから砥石ＴＳの外端縁に向うに従って互いに接近するように傾斜している。つまり、砥石ＴＳは、その外端縁近傍では、その断面が略Ｖ字状となるように形成されているのである。
なお、この砥石ＴＳの外端縁が特許請求の範囲にいう先端に相当する。
【００５９】
この砥石ＴＳを使用して多孔プレート製造工具１０を製造する作業を説明する。
まず、砥石ＴＳを主軸に取り付つけ、ブロック１１を平面研削盤等のテーブルに固定する。
この状態で、砥石ＴＳが取り付けられた主軸の回転軸がブロック１１において溝11gを形成する端面と互いに平行となるように、砥石ＴＳを回転させながら、砥石ＴＳをブロック１１に接近させる。
そして、所定の切り込み（つまり、溝11gの深さ）となるように、砥石ＴＳをブロック１１の一端面に接触させて、ブロック１１の一端面に沿って、砥石ＴＳを移動させる。すると、砥石ＴＳによってブロック１１が研削され、溝11g（便宜上、縦溝11gという）が形成される。
ついで、溝11gと直交する方向（つまり砥石ＴＳが取り付けられた主軸の軸方向）に所定の量だけ砥石ＴＳを移動させて、上記と同様の方法で砥石ＴＳによってブロック１１を研削する。すると、互いに平行かつ同じ深さ（言い換えれば、同じ幅）の溝11gを形成することができる。
この動作を繰り返すと、互いに平行な複数本の溝11gを形成することができる（図４（Ｂ）参照）。
【００６０】
ついで、縦溝11gと直交する溝11g（便宜上、横溝11gという）を形成する。
まず、砥石ＴＳが取り付けられた主軸の回転軸がブロック１１の溝11gが形成されている端面と互いに平行かつ縦溝11gの軸方向と直交するように配置する。
そして、砥石ＴＳを回転させながら砥石ＴＳをブロック１１に接近させて、所定の切り込みとなるように、砥石ＴＳをブロック１１の一端面に接触させて、ブロック１１の一端面に沿って、砥石ＴＳを移動させる。すると、砥石ＴＳによってブロック１１が研削され、すでに形成されている縦溝11gと直交しかつ同じ深さ（言い換えれば、同じ幅）の横溝11gが形成される。
ついで、横溝11gと直交する方向に所定の量だけ砥石ＴＳを移動させて、上記と同様の方法で砥石ＴＳによってブロック１１を研削する。すると、互いに平行かつ同じ深さ（言い換えれば、同じ幅）の横溝11gを形成することができる。
この動作を繰り返すと、互いに平行な複数本の横溝11gを形成することができる。
そして、最終的には、同じ幅の格子状に形成された溝11gを一端面に有するブロック１１、つまり、多孔プレート製造工具１０を製造することができるのである。
【００６１】
例えば、平面研削盤を使用した場合には、砥石ＴＳを主軸に取り付つけ、ブロック１１を平面研削盤等のテーブルに固定する。
ついで、所定のピッチＰ（具体的には突起１２の間）の送りで、砥石ＴＳによってブロック１１を加工すれば、平行な複数本の縦溝11gを形成することができる。
縦溝11gの形成が終了すると、ブロック１１を９０°回転させてテーブルに固定する。つまり、既に形成されている縦溝11gと砥石ＴＳの移動方向とが直交するように（言い換えれば、縦溝11gと砥石ＴＳの送り方向が平行となるように）ブロック１１をテーブルに固定する。
そして、所定のピッチＰ（具体的には突起１２の間）の送りで、砥石ＴＳによってブロック１１を加工すれば、互いに平行な複数本の横溝11gを形成することができる。つまり、ブロック１１の一面に格子状の溝11gが形成された多孔プレート製造工具１０を製造することができるのである。
【００６２】
なお、図４に示すように、砥石ＴＳの傾斜した加工面ＫＳによってブロック１１に溝11gを形成した場合には、形成された突起１２はその先端が尖ったものとなる場合もある。この場合、突起１２の先端が尖ったまま使用することも可能であるが、その場合、先端がプレートＦに貫通孔３を形成する際に損傷する可能性が高くなる。
したがって、砥石ＴＳの切り込みを調整して、ブロック１１の一端面が残る状態として、突起１２の先端が平坦面となるようにすることが好ましい。
また、ブロック１１の突起１２の先端が尖った状態となった場合には、図４（Ｃ）に示すように、突起１２の先端を除去して、突起１２の先端が平坦面としてもよい。
【００６３】
また、砥石ＴＳの先端部の厚さや取付面ＳＳの位置における厚さはとくに限定されず、砥石ＴＳの先端部において加工面ＫＳ同士がなす角度はとくに限定されないが、０〜１０度程度が好ましい。
さらに、図４では、砥石ＴＳの先端部が平坦面となっているが、この先端部は尖っていてもよい。しかし、砥石ＴＳの損傷や摩耗などを考慮すれば、図４のごとく砥石ＴＳの先端部が平坦面となっている方がよい。
【００６４】
そして、上記例では、ブロック１１の一端面から底に向かって幅が狭くなるように溝11gを形成する場合に使用する砥石ＴＳを説明したが、溝11gの幅がブロック１１の一端面から底まで同じ幅のものとする場合には、砥石ＴＳは、その先端部が平板状（つまり、加工面ＫＳが互いに平行な状態）となるものを使用すればよい。
【００６５】
さらに、砥石ＴＳの厚さはとくに限定されず、ブロック１１に形成する溝11gの幅に合わせて適切な厚さとすればよい。
例えば、ブロック１１の一端面における溝11gの幅Ｗ１を１〜６０μｍとする場合には、その先端の厚さＴ１を１〜６０μｍ、その先端から１〜６０μｍの位置（つまり、砥石ＴＳでブロック１１に溝11gを切ったときに一端面に対応する位置）の厚さＴ２を１〜６０μｍとすればよい。つまり、Ｔ１＜Ｔ２の場合には、図４に示すようなテーパ状の加工面ＫＳを有する砥石ＴＳとなるし、Ｔ１＝Ｔ２の場合には、加工面ＫＳ同士が平行な砥石ＴＳとなるが、Ｔ１とＴ２との関係は、Ｔ１がＴ２以下であればとくに限定されない。
【産業上の利用可能性】
【００６６】
本発明の多孔プレートは、GTRのスペースメイキングや、半導体製造装置（流量コントローラー）、メンブレンリアクター（膜利用反応プロセス）、精密濾過膜、電気分解（電解反応電極）、バイオ（細胞分離）、食品（酵母濾過）、医療（除菌濾過）等において流体を通過させる部材として使用することができる。
【符号の説明】
【００６７】
１      多孔プレート
２      本体
３      貫通孔
１０      多孔プレート製造工具
１１      ブロック
１１ｇ    溝
１２      突起
Ｆ      プレート
Ｓ      支持部材
【図１】
2014008585.tif 000003
【図２】
2014008585.tif 000004
【図３】
2014008585.tif 000005
【図４】
2014008585.tif 000006